(57)【要約】 【課題】蛇口機構付きの断熱液体容器における蛇口機構の部品交換並びに補修を可能且つ容易にすると共に、液体容器自体の製造工程の煩雑さ並びに容器内残存液体の課題を同時に解消する。【解決手段】内容器１１と、内容器から適宜が間隔を有せしめて配置される外側部材（肩部材１３ａ，１３ｂ、外装ケース１４、底部材１５）で構成され、内容器１１と外側部材の間に断熱材１２を充填した二重容器体構造の容器本体１を備えると共に、容器本体の内外を貫通して付設される開閉弁３１２を有する蛇口機構３を備える液体容器において、内容器底部に装着凹部１１１を形成すると共に、外側部材の当該個所を前記装着凹部底面と対接せしめて貫通孔を形成して蛇口機構３を装着してなる。【選択図】図３
2010124948.tif 000002
【特許請求の範囲】
【請求項１】
内容器と、内容器から適宜な間隔を有せしめて配置される外側部材で構成され、内容器と外側部材の間に断熱材を充填した二重容器体構造の容器本体を備えると共に、容器本体の内外を貫通して付設される開閉弁を有する蛇口機構を備える液体容器において、内容器底部に装着凹部を形成すると共に、外側部材の当該個所を前記装着凹部底面と対接せしめて貫通孔を形成し、前記装着凹部に流出口が形成されるように、貫通孔に蛇口機構を装着してなることを特徴とする液体容器。
【請求項２】
外側部材を、内容器の肩部に連繋されて容器本体の開口部を形成する肩部材と、内容器の外周を囲繞する外装ケースと、貫通孔を備えると共に、折り畳み脚を付設した底部材で構成した請求項１記載の液体容器。
【請求項３】
貫通孔を容器本体底部の外周に近接する偏った位置に形成し、底部材の底面が内容器内底面から所定の距離を有するように設けると共に、底部材における貫通孔周囲部分を外周側が開口した蛇口機構の収納凹部とし、蛇口機構における開閉弁の操作部を容器本体外周側に突出させて、蛇口機構を前記収納凹部に収納装着してなる請求項２記載の液体容器。
【請求項４】
底部材を、断熱材充填口を設けてなる底部材本体と、底部材本体の上面に所定の空隙を有せしめて容器底面と対面し、前記充填口から充填される断熱材の対壁となる仕切体とで構成してなる請求項３記載の液体容器。
【請求項５】
蛇口機構が、Ｌ状パイプからなり、開閉弁を内装し、操作部及び出水口を外装した蛇口本体と、外形が収納凹部形状と対応し、且つ断熱材を内装したカバー体と、装着凹部内に配置される筒状ナット体で構成され、装着凹部内の筒状ナット体と蛇口本体の基部立ち上がり部分とを貫通孔を通して連結し、前記連結した状態の蛇口本体を、カバー体で被覆してなる請求項３又は４記載の液体容器。
【発明の詳細な説明】
【技術分野】
【０００１】
本発明は、飲料水等の液体を収納する蛇口機構付きの断熱構造の液体容器に関するものである。
【背景技術】
【０００２】
蛇口機構付き断熱構造の液体容器は、蛇口位置が相応の高さとなるように断熱構造の容器本体に脚部を付設してなり、また断熱構造としては、内容器と外ケースの二重構造の間隙に断熱材を介在させて組み上げた器具と、二重構造の間隙に断熱材を充填（製造時に内部で発泡して固化する）して製造した器具が知られているが、特に後者は容器本体が一体化され堅牢性及び断熱性の点で優れている。
【０００３】
具体的には特許文献１（特開平１０−２１６０２７号公報）及び特許文献２（特開２００３−１８０５３４号公報）に示されているように、薄金属製の内容器と、内容器を囲んだ外装ケースと、外装ケースの底面を構成する底部材と、容器開口部を形成する肩部材で構成され、これらを組み合わせた状態で樹脂の充填発泡を行って製出している。
【０００４】
また前記の断熱材充填タイプの液体容器における蛇口機構の組み込み構造は、特許文献１記載の器具では、内容器の底部の注出筒と接続するジョイントパイプを介して連結した液体流出パイプに弁体を内装し、前記流出パイプを底部材に固定した後、断熱材の充填を行い、前記蛇口機構（文献では注出機構）を容器本体と一体化して組み込んでいる。
【０００５】
また特許文献２記載の器具では、容器本体側面に流出パイプ（注出機構）が貫通して設けられているが、前記流出パイプは、樹脂充填前に組み込んだものであるか、容器本体形成後（樹脂充填後）に貫通孔を穿設して流出パイプを組み込んだものであるかは明確でない。
【０００６】
【特許文献１】特開平１０−２１６０２７号公報。
【特許文献２】特開２００３−１８０５３４号公報。
【発明の開示】
【発明が解決しようとする課題】
【０００７】
本願発明の対象となる蛇口機構付き断熱液体容器においては、頻繁に開閉操作される蛇口機構を、水漏れ等によって部品交換や修理を必要とする場合がある。しかし蛇口機構の部品交換や修理に際して、蛇口機構全体を容器本体から取り外す必要があると、前記した蛇口機構が容器本体と一体構造に組み込まれている場合には、容器本体の一部（充填材：発泡樹脂）を破壊しなければならないので、現実的には実施されず、物品としての耐久性が蛇口機構の耐久性によって定まってしまう問題がある。
【０００８】
また容器本体側壁に貫通孔を形成して蛇口機構を組み込む場合には、蛇口機構の着脱ができるので前記のような問題は生じないが、発泡樹脂が充填された容器本体を穿設加工する必要があるので製造上煩雑であり、また容器側面に貫通孔を形成するので、内容器内に液体が残存してしまうし、仮に容器本体底面に貫通孔を形成して流出パイプを装着しても、流出パイプの上端が内容器底面より上方に突出することになり、やはり内容器内に液体が残存する問題は解消されない。
【０００９】
そこで本発明は、容器本体の製造に際して予め貫通孔を形成して、蛇口機構の着脱の問題並びに残存液体の問題を解消する新規な液体容器を提案したものである。
【課題を解決するための手段】
【００１０】
本発明（請求項１）に係る液体容器は、内容器と、内容器から適宜な間隔を有せしめて配置される外側部材で構成され、内容器と外側部材の間に断熱材を充填した二重容器体構造の容器本体を備えると共に、容器本体の内外を貫通して付設される開閉弁を有する蛇口機構を備える液体容器において、内容器底部に装着凹部を形成すると共に、外側部材の当該個所を前記装着凹部底面と対接せしめて貫通孔を形成し、前記装着凹部に流出口が形成されるように、貫通孔に蛇口機構を装着してなることを特徴とするものである。
【００１１】
而して断熱構造の容器本体は、底面部分に予め貫通孔が形成され、貫通孔の内容器側における装着凹部内で蛇口機構の容器側部品が装着されることになるので、蛇口機構の着脱が支障なく実施されると共に、内容器内の液体はすべて容器外に流出させることができる。
【００１２】
また本発明（請求項２，３）の液体容器は、前記液体容器において、外側部材を、内容器の肩部に連繋されて容器本体の開口部を形成する肩部材と、内容器の外周を囲繞する外装ケースと、貫通孔を備えると共に、折り畳み脚を付設した底部材で構成したものであり、特に、貫通孔を容器本体底部の外周に近接する偏った位置に形成し、底部材の底面が内容器内底面から所定の距離を有するように設けると共に、底部材における貫通孔周囲部分を外周側が開口した蛇口機構の収納凹部とし、蛇口機構における開閉弁の操作部を容器本体外周側に突出させて、蛇口機構を前記収納凹部に収納装着してなるものである。
【００１３】
従って蛇口機構が、容器本体の底面に装着されるが、外周側（蛇口機構の操作部を配した側）の側面は露出するが、他の側面部分は底部材で囲繞されることになり、蛇口機構が容器本体と一体に纏まる。
【００１４】
更に本発明（請求項４）は、前記の蛇口機構の収納凹部を備えた底部材において、底部材を、断熱材充填口を設けてなる底部材本体と、底部材本体の上面に所定の空隙を有せしめて内容器底面と対面し、前記充填口から充填される断熱材の対壁となる仕切体とで構成してなるもので、蛇口機構部を容器本体と一体の纏まりのある構成とした場合に、内容器と底部材の底面部分との間隔が大きくなり、当該間隙に断熱材を充填すると、断熱材の過剰使用となるが、仕切体を介在させて、断熱材未充填空間を形成することで、断熱効果を損なわずに、断熱材の効率的使用が実現できる。
【発明の効果】
【００１５】
本発明は上記の構成のとおりで、容器本体における蛇口機構の取付個所を、内容器底部に形成した装着凹部の内底面に、容器本体形成時に設けた貫通孔としたもので、前記の凹部から蛇口機構に容器内部の液体（飲料）が流出するので、容器内の残存液体が生ずることなく、且つ蛇口機構の着脱によって、部品交換等の補修を容易にしたものである。
【発明を実施するための最良の形態】
【００１６】
次に本発明の実施の形態について説明する。実施形態に示した液体容器は、容器本体１と、蓋部材２と、蛇口機構３とで構成されている。
【００１７】
容器本体１は、内容器１１と外側部材の間に断熱材１２を充填した二重容器体構造であって、外側部材は、肩部材１３ａ，１３ｂと外装ケース１４と底部材１５で構成されるものである。
【００１８】
内容器１１は、薄金属板で形成したもので、底部における外周側に偏った位置に、後述する蛇口機構３の筒状ナット体３２が入る大きさの装着凹部１１１を設け、装着凹部１１１の内底面には貫通孔１１２を設けたものである。
【００１９】
内側肩部材１３ａは内容器１１の上縁と連繋し、外側肩部材１３ｂは外装ケース１４の上縁と連繋される。両肩部材１３ａ，１３ｂは容器本体１の開口部分を形成するもので、持ち手１３１や、蓋部材２を装着する構造を備えているものである。
【００２０】
外装ケース１４は、内容器１１の周面との間に、断熱材１２の充填空間Ａが確保できる大きさの筒状体で、薄金属板で形成されるものである。
【００２１】
底部材１５は、底部材本体１５ａと、仕切体１５ｂで構成され、底部材本体１５ａは、前記外装ケース１４の下縁に連繋されると共に、内容器１１の底面との間に断熱材１２の充填空間Ａを形成されるように充分に間隔を有するように容器本体１の底面部分を構成するもので、特に貫通孔１１２と一致する貫通孔１５１を形成すると共に、前記貫通孔１５１の周囲部分を外周側が開口した蛇口機構３の収納凹部１５２とし、更に、断熱材１２の充填口１５３を適宜箇所に設けてなる。
【００２２】
更に底部材本体１５ａの底面には、脚支持部１５４を垂設すると共に、脚支持部１５４に折り畳み脚１５５を付設してなる。
【００２３】
仕切体１５ｂは、前記収納凹部１５２及び充填口１５３以外の内容器１１の底部と対面する範囲に、容器形状の底部材本体１５ａの内底面（断熱材の対壁）となるように底部材本体１５ａに付設し、内容器１１と外側部材との間の断熱材充填空間Ａの一部を、仕切り体１５ｂを隔壁として、底部材１５個所における非充填空間Ｂを形成したものである。
【００２４】
前記の各部材で構成される容器本体１は、図４に例示するとおり内容器１１と外側部材（肩部材１３ａ，１３ｂと外装ケース１４と底部材１５）を組み合わせて、充填口１５３から断熱材用樹脂を注入し、樹脂を発泡固化させて、充填空間Ａを断熱材１２で充たし、容器本体１を一体化するものである。
【００２５】
また前記の肩部材１３ａ，１３ｂには、容器本体１の開口部１６の開閉を行う蓋部材２や、携帯時に使用される持ち手（釣り手ハンドル）１３１を装着するもので、予め肩部材１３ａ，１３ｂには蓋部材２及び持ち手１３１を装着できる構造に形成しておくものであり、蓋部材２や持ち手１３１の構造並びに肩部材１３ａ，１３ｂに設ける装着構造は任意である。
【００２６】
蛇口機構３は、蛇口本体３１と筒状ナット体３２と、カバー体３３とで構成される。蛇口本体３１は、Ｌ状パイプ３１１からなり、前記Ｌ状パイプ３１１内に開閉弁３１２を組み込むと共に、前記開閉弁３１２の操作部３１３を付設し、更に前記Ｌ状パイプ３１１に、前記開閉弁３１２で流路の開閉がなされる出水口３１４を設けたものであり、またＬ状パイプ３１１の基部立ち上がり部分の外周にネジを周設して連結部３１５を形成したものである。尚図示例では、連結部３１５に外挿されるブラケット３１６を採用している。
【００２７】
筒状ナット体３２は、貫通孔１１２，１５１を挿通できる大きさで、上部にフランジ部３２１及び流出口となる操作孔（六角孔）３２２を備えて、装着凹部１１１内に収まる大きさに形成したもので、フランジ部３２１の下面にパッキン３２３を介在させて装着凹部１１１内に配置し、前記蛇口本体３１の連結部３１５と螺合連結して、水密性を確保して固着される。
【００２８】
前記の蛇口本体３１と筒状ナット体３２の連結固定の際には、操作部（開閉レバー）３１３及び出水口３１４は、容器本体１の外周側に突出するようにしてなる。
【００２９】
カバー体３３は、所定形状の外カバー３３１と断熱部３３２で構成され、外カバー３３１は、容器本体１に固着された蛇口本体３１における突出部分（操作部３１３及び出水口３１４）を除いた範囲を被覆するもので、その外形状は、収納凹部１５２の形状と対応させたものである。
【００３０】
断熱部３３２は、前記蛇口本体３１を被覆するように固着した際に、蛇口本体３１とカバー体３３の外カバー３３１の間隙を埋めるようにしたものである。
【００３１】
而して上記の液体容器は、内容器１１内に冷水や温水の飲料を収納して携帯し、喫飲時には折り畳み脚１５５を起立状態とし、操作部３１３の開閉操作によって出水口３１４から飲料を放出するものである。
【００３２】
特に内容器１１の底面の装着凹部１１１に、流出口となる操作孔３２２を備えた筒状ナット体３２が配置されるので、内容器１１内の飲料は、残存することなく全部を容器外に放出できるものである。
【００３３】
また蛇口機構３を部品交換や補修のために、容器本体１から外す場合には、カバー体３３を取り外した後に、蓋部材２を開けて、開口部１６から工具を差し入れて、筒状ナット体３２を回し、連結部３１５との螺合を解除すると、蛇口本体３１を容器本体１から容易に取り外すことができ、部品交換や補修を終了すると、取り外しと逆の手順で取り付けられるもので、蛇口機構３の部品交換や補修が、容器本体１を破壊することなく容易に行うことができたものである。
【００３４】
また蛇口機構３は、底部材１５の収納凹部１５２内に収められると共に、カバー体３３で被覆することで、液体容器全体が外観的に纏まると共に、カバー体３３に断熱部３３２を備えることで、蛇口機構３を装備させたことによる液体容器の断熱効果の低減を抑えることができ、更に蛇口機構３の纏まり収納のために大きくならざるを得ない断熱材１２の充填空間Ａを、仕切体１５ｂを設けることで非充填空間Ｂを形成して、断熱材１２の無駄をなくしたものである。
【図面の簡単な説明】
【００３５】
【図１】本発明の実施形態の全体正面図。
【図２】同底面図。
【図３】同断面図。
【図４】同容器本体の断面図（断熱材充填前）。
【図５】同底面図。
【図６】同要部拡大断面図（貫通孔個所）。
【図７】同図（充填口個所）。
【図８】同蛇口機構の全体斜視図（分解図）。
【図９】同装着説明斜視図。
【図１０】同装着状態を示す断面図。
【符号の説明】
【００３６】
１        容器本体
１１      内容器
１１１    装着凹部
１１２    貫通孔
１２      断熱材
１３ａ    内側肩部材
１３ｂ    外側肩部材
１３１    持ち手
１４      外装ケース
１５      底部材
１５ａ    底部材本体
１５ｂ    仕切体
１５１    貫通孔
１５２    収納凹部
１５３    充填口
１５４    脚支持部
１５５    折り畳み脚
１６      開口部
２        蓋部材
３        蛇口機構
３１      蛇口本体
３１１    Ｌ状パイプ
３１２    開閉弁
３１３    操作部
３１４    出水口
３１５    連結部
３１６    ブラケット
３２      筒状ナット体
３２１    フランジ部
３２２    操作孔（六角孔）
３２３    パッキン
３３      カバー体
３３１    外カバー
３３２    断熱部
【図１】
2010124948.tif 000003
【図２】
2010124948.tif 000004
【図３】
2010124948.tif 000005
【図４】
2010124948.tif 000006
【図５】
2010124948.tif 000007
【図６】
2010124948.tif 000008
【図７】
2010124948.tif 000009
【図８】
2010124948.tif 000010
【図９】
2010124948.tif 000011
【図１０】
2010124948.tif 000012